【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】
第１面上に第１信号パッドを有する第１回路基板と、
第１面上に第２信号パッドを有する第２回路基板と、
前記第１信号パッドを前記第２信号パッドに電気的に接続する圧縮装着コネクタと、
を有するシステムであって、前記圧縮装着コネクタが、
第１主面と、該第１主面とは反対側の第２主面とを有し、該第１主面が前記第１回路基板の第１面と対面するような第１介挿体部材と、
第１主面と、該第１主面とは反対側の第２主面とを有し、該第１主面が前記第２回路基板の第１面と対面するような第２介挿体部材と、
第１端と第２端とを有し、該第１端が前記第１介挿体部材の第２主面に隣接して配置され、前記第２端が前記第２介挿体部材の第２主面に隣接して配置されるような長尺導体と、
導体接触部と、基板接触部と、これら導体接触部及び基板接触部の間の中間部とを有し、前記導体接触部が前記長尺導体の第１端と物理的に接触し、前記基板接触部は前記第１信号パッドの頂面に対して物理的に接触すると共に押圧するが該第１信号パッドには固定されず、前記中間部が前記第１介挿体部材の第１主面から該第１介挿体部材の第２主面まで延びる孔内に配置されるような第１接触子であって、前記第１信号パッドは当該第１接触子に力を発生する一方、当該第１接触子は該力の方向において限られた程度に移動が自由であり、該力が前記第１回路基板の第１面に対して概ね垂直な方向であるような第１接触子と、
導体接触部と、基板接触部と、これら導体接触部及び基板接触部の間の中間部とを有し、前記導体接触部が前記長尺導体の第２端と物理的に接触し、前記基板接触部は前記第２信号パッドの頂面に対して物理的に接触すると共に押圧するが該第２信号パッドには固定されず、前記中間部が前記第２介挿体部材の第１主面から該第２介挿体部材の第２主面まで延びる孔内に配置されるような第２接触子であって、前記第２信号パッドは当該第２接触子に力を発生する一方、当該第２接触子は該力の方向において限られた程度に移動が自由であり、該力が前記第２回路基板の第１面に対して概ね垂直な方向であるような第２接触子と、
を有するシステム。
【請求項２】
請求項１に記載のシステムにおいて、前記第１接触子がバネ接触子を有するようなシステム。
【請求項３】
請求項２に記載のシステムにおいて、前記第１接触子が頂冠を更に有するようなシステム。
【請求項４】
請求項１に記載のシステムにおいて、前記長尺導体に隣接して位置される第１主面を有すると共に該長尺導体の鏡像となるような凹部を有するスペーサであって、該凹部が当該スペーサの前記第１主面に形成されているようなスペーサを更に有するシステム。
【請求項５】
請求項４に記載のシステムにおいて、前記スペーサが該スペーサと隣り合って配置される第２スペーサの相手側開口と組み合わせるピンを含んでいるシステム。
【請求項６】
請求項４に記載のシステムにおいて、
前記第１回路基板の第１面上の第３信号パッドと、
前記第２回路基板の第１面上の第４信号パッドと、
第１端と第２端とを有し、該第１端が前記第１介挿体部材の第２主面に隣接して配置され、前記第２端が前記第２介挿体部材の第２主面に隣接して配置されるような第２長尺導体と、
導体接触部と、基板接触部と、これら導体接触部及び基板接触部の間の中間部とを有し、前記導体接触部が前記第２長尺導体の第１端と物理的に接触し、前記基板接触部は前記第３信号パッドの頂面に対して物理的に接触すると共に押圧するが該第３信号パッドには固定されず、前記中間部が前記第１介挿体部材の第１主面から該第１介挿体部材の第２主面まで延びる孔内に配置されるような第３接触子であって、前記第３信号パッドは当該第３接触子に力を発生する一方、当該第３接触子は該力の方向において限られた程度に移動が自由であり、該力が前記第１回路基板の第１面に対して概ね垂直な方向であるような第３接触子と、
導体接触部と、基板接触部と、これら導体接触部及び基板接触部の間の中間部とを有し、前記導体接触部が前記第２長尺導体の第２端と物理的に接触し、前記基板接触部は前記第４信号パッドの頂面に対して物理的に接触すると共に押圧するが該第４信号パッドには固定されず、前記中間部が前記第２介挿体部材の第１主面から該第２介挿体部材の第２主面まで延びる孔内に配置されるような第４接触子であって、前記第４信号パッドは当該第４接触子に力を発生する一方、当該第４接触子は該力の方向において限られた程度に移動が自由であり、該力が前記第２回路基板の第１面に対して概ね垂直な方向であるような第４接触子と、
を更に有し、前記スペーサが前記第２長尺導体の鏡像となるような第２凹部を含み、該第２凹部が当該スペーサの前記第１主面に形成されているようなシステム。
【請求項７】
第１面上に第１信号パッド及び第２信号パッドを有する第１回路基板と、第１面上に第３信号パッド及び第４信号パッドを有する第２回路基板と、前記第１信号パッドを前記第３信号パッドに電気的に接続すると共に前記第２信号パッドを前記第４信号パッドに電気的に接続するコネクタとを有するようなシステムにおける前記コネクタにおいて、
第１面と、該第１面とは反対側の第２面とを有する概ね長方形の第１介挿体部材と、
第１面と、該第１面とは反対側の第２面とを有する概ね長方形の第２介挿体部材と、
第１端と第２端とを有し、該第１端が前記第１介挿体部材の第２面に隣接して配置され、前記第２端が前記第２介挿体部材の第２面に隣接して配置されるような第１導体と、
前記第１導体と平行であって、第１端と第２端とを有し、該第１端が前記第１介挿体部材の第２面に隣接して配置され、前記第２端が前記第２介挿体部材の第２面に隣接して配置されるような第２導体と、
前記第１導体と前記第２導体との間に配置されると共に、前記第１導体を前記第２導体から電気的に絶縁する誘電体材料と、
導体接触部と、基板接触部と、これら導体接触部及び基板接触部の間の中間部とを有し、前記導体接触部が前記第１導体の第１端と物理的に接触し、前記基板接触部は前記第１信号パッドの頂面に押圧するが該第１信号パッドには固定されるためのものではなく、前記中間部が前記第１介挿体部材の第１面から該第１介挿体部材の第２面まで延びる孔内に配置されるような第１接触子と、
導体接触部と、基板接触部と、これら導体接触部及び基板接触部の間の中間部とを有し、前記導体接触部が前記第２導体の第１端と物理的に接触し、前記基板接触部は前記第２信号パッドの頂面に押圧するが該第２信号パッドに固定されるためのものではなく、前記中間部が前記第１介挿体部材の第１面から該第１介挿体部材の第２面まで延びる孔内に配置されるような第２接触子と、
前記第１導体に隣接して位置される第１主面を有すると共に該第１導体の鏡像となるような凹部を有するスペーサであって、該凹部が当該スペーサの前記第１主面に形成されているようなスペーサと、
を有するコネクタ。
【請求項８】
請求項７に記載のコネクタにおいて、前記第１接触子がバネ接触子を有するようなコネクタ。
【請求項９】
請求項８に記載のコネクタにおいて、前記第１接触子が頂冠を更に有するようなコネクタ。
【請求項１０】
請求項７に記載のコネクタにおいて、前記第１導体及び前記第２導体が差動信号を伝送するために使用されるようなコネクタ。
【請求項１１】
請求項７に記載のコネクタにおいて、第３導体及び第４導体を更に有し、前記第３導体は前記第１介挿体部材の第２面に隣接して配置される第１端と前記第２介挿体部材の第２面に隣接して配置される第２端とを有し、前記第４導体は前記第１介挿体部材の第２面に隣接して配置される第１端と前記第２介挿体部材の第２面に隣接して配置される第２端とを有し、
前記スペーサは前記第３導体に隣接して位置される第２主面を有すると共に該第３導体の鏡像となるような第２凹部を有し、該第２凹部が当該スペーサの前記第２主面に形成されているようなコネクタ。
【請求項１２】
請求項１１に記載のコネクタにおいて、第５導体及び第６導体を更に有し、前記第５導体は前記第１介挿体部材の第２面に隣接して配置される第１端と前記第２介挿体部材の第２面に隣接して配置される第２端とを有し、前記第６導体は前記第１介挿体部材の第２面に隣接して配置される第１端と前記第２介挿体部材の第２面に隣接して配置される第２端とを有し、
前記スペーサの第１主面は前記第５導体に隣接して位置されると共に該第５導体の鏡像となるような第３凹部を有し、該凹部が当該スペーサの前記第１主面に形成されているようなコネクタ。
【請求項１３】
請求項１１に記載のコネクタにおいて、前記第４導体に隣接して位置される第１主面を備えると共に該第４導体の鏡像となるような凹部を備える第２スペーサを更に有し、該凹部が当該第２スペーサの前記第１主面に形成されているようなコネクタ。
【請求項１４】
請求項７に記載のコネクタにおいて、
導体接触部と、基板接触部と、これら導体接触部及び基板接触部の間の中間部とを有し、前記導体接触部が前記第１導体の第２端と物理的に接触し、前記基板接触部は前記第３信号パッドと物理的に接触するためのものであり、前記中間部が前記第２介挿体部材の第１面から該第２介挿体部材の第２面まで延びる孔内に配置されるような第３接触子と、
導体接触部と、基板接触部と、これら導体接触部及び基板接触部の間の中間部とを有し、前記導体接触部が前記第２導体の第２端と物理的に接触し、前記基板接触部は前記第４信号パッドと物理的に接触するためのものであり、前記中間部が前記第２介挿体部材の第１面から該第２介挿体部材の第２面まで延びる孔内に配置されるような第４接触子と、
を更に有するようなコネクタ。
【請求項１５】
請求項７に記載のコネクタにおいて、前記第１導体及び前記第２導体が、長さが等しいようなコネクタ。